(57)【特許請求の範囲】
【請求項１】
本体と、この本体を開閉するドアとを備えた自動販売機において、前記本体の側面下部に固定されたロックベースと、このロックベースに上下移動可能に保持され、上方に移動された状態で前記本体側面から前記ドアの前面に渡ると共に、下方に移動された状態で前記ドアの下方に移動するロック機構と、このロック機構が上方に移動された状態で、当該ロック機構を前記ロックベースに固定する鍵装置とを備え、前記ロック機構は、ロックベースに移動自在に保持されるロック部と、このロック部からドアの前面に渡るロックアームとから成り、このロックアームは、ロック部に対する前後位置を調整可能とされていることを特徴とする自動販売機の防犯装置。
【発明の詳細な説明】
【０００１】
【発明の属する技術分野】
本発明は、自動販売機のドアの開放を禁止する防犯装置に関するものである。
【０００２】
【従来の技術】
従来この種自動販売機は、一般に監視の目が届きにくい路傍や屋外等に設置される場合が多く、且つ、その内部には商品や売上代金が収納されているため、特に人気の少ない夜間等にドアの鍵が破壊され、内部に収納された金銭が窃取される危険性がある。
【０００３】
そこで、係る自動販売機の窃取を防止するため、従来では図１１及び図１２に示す如き防犯装置１１１を取り付けていた。即ち、各図において自動販売機１０１のドア１０４には、それを施錠、解錠するためのドア用鍵装置１１０が設けられると共に、自動販売機１０１の本体１０２の上下方向略中央の側面１０３にはブラケット１１６が取り付けられ、ドア１０４の側面にもブラケット１１６が取り付けられている。
【０００４】
これらブラケット１１６、１１６は容易に破損されない金属などで構成されたチェーン１０９で接続されており、このチェーン１０９にはそれを着脱するための鍵（図示せず）が取り付けられている。これにより、ドア用鍵装置１１０が破損された場合でも、チェーン１０９によりドア１０４の開放を禁止して、防犯効果の向上を図っていた。
【０００５】
また、例えば実用新案登録第３０２６２９７号公報や実用新案登録第３０２９４８０号公報の如く、単なるチェーンでは無く、格別な防犯装置を取り付けたものも考案されている。
【０００６】
即ち、この場合の防犯装置１１１を図１３及び図１４を用いて説明すると、自動販売機１０１のドア１０４には同様にドア用鍵装置１１０が取り付けられており、また、本体１０２の上下方向略中央の側面１０３及びドア１０４に沿ってＬ字状に折り曲げられたロックアーム１１５が設けられている。側面１０３にはこのロックアーム１１５を本体１０２に固定するための鍵付きのロック部１１５Ａが設けられており、ドア用鍵装置１１０をロックアーム１１５でカバーしてドア１０４を二重にロックしている。
【０００７】
これにより、夜間等にドア用鍵装置１１０が破壊されて不法にドア１０４が開けられてしまうのを防止していた。尚、上記各図において１０５は商品見本、１０６は商品選択ボタン、１０７は金銭投入口、１０８は商品取出口である。
【０００８】
【発明が解決しようとする課題】
しかしながら、上記の如き従来の防犯装置は本体の略中央部側面に設けられていることから、自動販売機の外観を損なってしまう問題があった。また、チェーンやアームの取り付け、取り外しに手間がかかるため、防犯装置自体の取り付けや、施錠・解錠操作が煩雑となる問題もあった。
【０００９】
本発明は、係る従来技術の課題を解決するために成されたものであり、操作性に優れ、然も、外観を損なわずに破壊され難い防犯装置を提供することを目的とする。
【００１０】
【課題を解決するための手段】
即ち、本発明の防犯装置は、本体と、この本体を開閉するドアとを備えた自動販売機に適用されるものであって、本体の側面下部に固定されたロックベースと、このロックベースに上下移動可能に保持され、上方に移動された状態で前記本体側面から前記ドアの前面に渡ると共に、下方に移動された状態で前記ドアの下方に移動するロック機構と、このロック機構が上方に移動された状態で、当該ロック機構を前記ロックベースに固定する鍵装置とを備え、前記ロック機構は、ロックベースに移動自在に保持されるロック部と、このロック部からドアの前面に渡るロックアームとから成り、このロックアームは、ロック部に対する前後位置を調整可能としたものである。
【００１３】
【発明の実施の形態】
次に、図面に基づき本発明の実施形態を詳述する。図１は本発明を適用した自動販売機１の正面図、図２は図１の自動販売機１の側面図、図３はドア４を解錠した状態の自動販売機１の正面図、図４は図３の自動販売機１の側面図、図５は本発明の防犯装置１１のロックアーム１５の取り付け作業を示す自動販売機１の正面図、図６は図５の自動販売機１の側面図、図７は防犯装置１１の平面図、図８は防犯装置１１の正面図、図９は防犯装置１１の側面図をそれぞれ示している。
【００１４】
自動販売機１は、商品が収納された本体２と、この本体２の一側上下（この場合左側）に設けられたヒンジ４Ａ、４Ａによって回動自在に枢支されたドア４とから構成されている。このドア４の前面には商品展示部及び商品選択部が設けられており、この商品展示部及び商品選択部には、商品見本５と商品選択ボタン６が横方向に複数設けられ、これが上下二段配設されている。
【００１５】
また、この商品展示部及び商品選択部と所定の間隔を存した下方には、金銭投入口７が設けられると共に、ドア４の下方には、商品取出口８が設けられている。そして、非枢支側となるドア４の右側前面には、ドア４自体の施錠及び解錠を行うためのドア用鍵装置１０が設けられており、ドア用鍵装置１０に鍵（図示せず）を差し込んで操作することによりドア４の施錠と解錠ができるように構成されている。
【００１６】
尚、９はドア４を開閉する際に使用する把手であり、ドア用鍵装置１０が解錠されたときに前方に突出して操作可能となる。また、７Ａは硬貨返却口であり、更に、売上代金はドア４の内側に設けられた図示しないコインメカに保持されている。
【００１７】
一方、自動販売機１の本体２の側面３には本発明の防犯装置１１が取り付けられている。この防犯装置１１は、ドア用鍵装置１０が破壊された場合にもドア４を開閉できないようにするためのもので、ロックベース１３とロック機構１９とから構成されている。
【００１８】
このロックベース１３は所定の厚さ（この場合、厚さ約５ｍｍ〜１０ｍｍ）の鉄材或いはステンレス材などの容易に変形破損しない金属板などにて構成されており、略矩形板状を呈し、裏面側は平面にて形成されて自動販売機１の本体２の側面３に密接して取り付けられると共に、表面側には所定幅のレール１４が突出形成されている。
【００１９】
このレール１４はロックベース１３の上端から下端に渡って一体に形成されている。また、レール１４の平断面は図７に示す如くロックベース１３の表面側から裏面側に向けて狭くなるアンダーカット形状とされている。そして、レール１４を上下方向とした状態でロックベース１３は自動販売機１の本体２の側面３に、溶接或いはボルト（図示せず）にて固定される。この場合、ロックベース１３は本体２の側面３の前下角部に位置して取り付けられる。
【００２０】
また、ロック機構１９はロック部１６とロックアーム１５とから構成されており、これらロック部１６とロックアーム１５はロックベース１３同様の鉄材或いはステンレス材などの容易に変形破損しない金属などにて構成されている。
【００２１】
前記ロック部１６の裏面には所定幅の縦溝１６Ａが上下に渡って形成されており、この縦溝１６Ａは奥方に向けて広くなる平断面形状とされている。そして、このロック部１６の縦溝１６Ａは前記ロックベース１３に形成されたレール１４に摺動自在に係合可能とされており、レール１４の上端部から縦溝１６Ａを嵌め込むことによって、上下方向以外にロック部１６がロックベース１３から外れないように構成されている。
【００２２】
即ち、ロック部１６は縦溝１６Ａによってロックベース１３のレール１４に着脱自在且つ上下方向に移動自在に取り付けられる。また、ロックベース１３の上部には上ストッパー２３が取り付けられる。この上ストッパー２３はロックベース１３にロック部１６を取り付けた後にロックベース１３に強固に固定し、これによりロック部１６はロックベース１３から上方に取り外せなくなる。
【００２３】
また、ロック部１６の裏面には所定寸法の保持孔１６Ｃが形成されており、この保持孔１６Ｃには後述するストッパー１７とバネ１８が挿入されると共に、図示しない係合孔が設けられており、この係合孔には後述するロックピン２１とスプリング２２が挿入される。
【００２４】
他方、ロックアーム１５は前後に延在する長辺１５Ａとその先端から直角に屈曲された短辺１５Ｂとで略Ｌ字状に形成されており、長辺１５Ａは約２３０ｍｍ、短辺１５Ｂは約９５ｍｍ、厚さ約２０ｍｍとされている。また、長辺１５Ａには、所定深さの係合溝１５Ｃが複数形成されている。この係合溝１５Ｃ・・・は、長辺１５Ａの長手方向に所定間隔で設けられており、前記ロックピン２１がこの係合溝１５Ｃ・・・に係合するものである。
【００２５】
また、ロック部１６の下部には横溝１６Ｂが前後に渡って形成されており、この横溝１６Ｂ内に前方から前記ロックアーム１５が挿入係合される構成とされている。また、ロック部１６内には図示しない鍵装置が設けられている。この鍵装置はロック部１６の前記ストッパー１７を移動させて、ロック部１６をロックベース１３の所定位置に固定し、或いは、移動可能とするためのものである。
【００２６】
このストッパー１７はロック部１６の保持孔１６Ｃ内に移動自在に配設され、その先端は下部が直角に形成されると共に、上部が先端に向けて低く傾斜した傾斜面１７Ａとされている。そして、ストッパー１７の奥側の保持孔１６Ｃ内にバネ１８が設けられ、ストッパー１７はこのバネ１８によって常時保持孔１６Ｃから突出する方向に付勢されている。
【００２７】
また、ロックベース１３には所定寸法の係合保持孔１３Ａ、１３Ａが設けられており、この係合保持孔１３Ａにはロック部１６のストッパー１７が係脱自在に係合する。この場合、係合保持孔１３Ａはロックベース１３のレール１４の略中央に上下二箇所設けられている。
【００２８】
更に、ロック部１６には鍵を挿入するための鍵孔１６Ｄが設けられており、この鍵孔１６Ｄに鍵（図示せず）を挿入して操作することにより、ストッパー１７を保持孔１６Ｃから係合保持孔１３Ａ内に出し入れする。また、鍵孔１６Ｄに鍵を挿入して操作することにより、係合保持孔１３Ａに係合されたストッパー１７を保持孔１６Ｃ内に埋没させた状態に保持できる。
【００２９】
この場合、ストッパー１７がロックベース１３の上側の係合保持孔１３Ａに進入すると、ストッパー１７先端の下面が係合保持孔１３Ａに係合してロック部１６はそれより下方に移動できなくなると共に、ロックベース１３の上部に固定された上ストッパー２３により上方への移動も阻止されている。これにより、ロックベース１３よりロック機構１９は取り外せなくなる。
【００３０】
他方、ロックアーム１５の長辺１５Ａがロック部１６の横溝１６Ｂ内に挿入された状態で、ロック部１６内のロックピン２１はロックアーム１５に設けられた係合溝１５Ｃ・・・内に挿出自在に係合する。このときロックピン２１は前記ストッパー１７同様先端の前面が傾斜した傾斜面２１Ａとされており、後面は略直角に形成されている。そして、ロックピン２１は内側に設けられたスプリング２２によって常時係合孔から突出する方向に付勢されている。
【００３１】
これにより、ロックアーム１５の長辺１５Ａを横溝１６Ｂ内に前方から挿入して行くと、ロックピン２１がスプリング２２によって突出され、最も前側の係合溝１５Ｃに係合する。これによって、ロックアーム１５は前方に引き抜けなくなる。
【００３２】
このロックピン２１が係合する係合溝１５Ｃは、ロックアーム１５を押し込むことによって変更できる。これにより、ロックベース１３とロックアーム１５の短辺１５Ｂ間の距離を、ドア４の厚さに応じて調整できるように構成されている。尚、ロックアーム１５を前方に移動させたい場合には、ロック部１６をロックベース１３から外して横溝１６Ｂからロックアーム１５を抜くことになる。
【００３３】
また、ロック部１６のストッパー１７が上方の係合保持孔１３Ａに係合している状態では、ロックアーム１５の短辺１５Ｂはドア４の前面側に位置すると共に、ロック部１６が下方に移動されてストッパー１７が下方の係合保持孔１３Ａに係合している状態では、ロックアーム１５の短辺１５Ｂはドア４より下方に位置するよう構成されている。
【００３４】
以上の構成で次に自動販売機１の防犯装置１１の操作を説明する。尚、ロックベース１３は予め自動販売機１の本体２の側面３下部に固定されており、また、ドア用鍵装置１０及びロック部１６に設けられた鍵装置は同一の鍵で操作できるものとする。
【００３５】
次に、ロック部１６の鍵装置を解錠した状態でロックベース１３のレール１４にロック部１６の縦溝１６Ａを係合させて取り付け、その後、ロックベース１３の上部に上ストッパー２３を強固に固定する。これによって、ロック機構１９は上下に移動自在にロックベース１３に取り付けられる。
【００３６】
次に、ロック部１６のストッパー１７をロックベース１３の上方の係合保持孔１３Ａに係合した状態で施錠を行なう。そして、ロック部１６の横溝１６Ｂに自動販売機１のドア４側からロックアーム１５の長辺１５Ａを挿入する。
【００３７】
この場合、ロックアーム１５の短辺１５Ｂがドア４の前面直前に位置するところまでロックアーム１５を挿入し、その位置の係合溝１５Ｃにロックピン２１を係合させてロックアーム１５の位置を確定する。
【００３８】
この状態では、ロックアーム１５の短辺１５Ｂがドア４の前面に位置しているため、ドア４のドア用鍵装置１０が解錠されたとしても、ドア４は短辺１５Ｂに阻止されて開けなくなる。
【００３９】
次ぎに、ドア４を開く場合には先ず防犯装置１１の解錠を行なう。この場合、ロック部１６に設けられた鍵孔１６Ｄに図示しない鍵を挿入してロック部１６に設けられたストッパー１７を保持孔１６Ｃ内に埋没させ、その状態で、ロック部１６をレール１４に沿って下方に移動させ、ストッパー１７を下方の係合保持孔１３Ａに係合させる。これによって短辺１５Ｂがドア４の下端より下方に移動するので、ドア用鍵装置１０を解錠することにより、ドア４は開放可能となる（図１０参照）。
【００４０】
このように、本体２の側面３下部にロックベース１３を固定すると共に、このロックベース１３に上下移動可能にロック機構１９を設けており、ロック機構１９には本体２の側面３からドア４前面に位置するＬ字状のロックアーム１５を設け、ドア４が開いてしまうのを防止しているので、ドア４の開放を極めて強固に禁止することが可能となる。
【００４１】
この場合、防犯装置１１の施錠及び解錠はロック部１６内の鍵装置の操作とロック機構１９の上下移動を行うだけで済むので、簡単な操作で防犯装置１１の施錠、解錠を行うことができる。また、ロックベース１３を本体２の側面３下部に設けているので、自動販売機１の前面から防犯装置１１が目立ち難くなる。
【００４２】
更に、ロック部１６にロックアーム１５を前後位置調整可能に設けているので、自動販売機１のドア４の異なる厚さ寸法に合わせて、ロックアーム１５の前後位置を調整することができる。これにより、多様な厚さ寸法のドア４に対応して防犯装置１１を取り付けることができるようになり、大幅に汎用性を向上させることが可能となる。
【００４３】
【発明の効果】
以上詳述した如く本発明によれば、本体と、この本体を開閉するドアとを備えた自動販売機において、本体の側面下部に固定されたロックベースと、このロックベースに上下移動可能に保持され、上方に移動された状態で本体側面からドアの前面に渡ると共に、下方に移動された状態でドアの下方に移動するロック機構と、このロック機構が上方に移動された状態で、当該ロック機構をロックベースに固定する鍵装置とを設けたので、ロック機構を上方に移動させ、鍵装置にてロックベースに固定することにより、ドアの開放を禁止することができるようになる。
【００４５】
また、請求項２の発明によれば、上記に加えてロック機構をロックベースに着脱自在としたので、生産ラインにて予めロック機構を本体に固定して置けば、設置時にはロック機構のみをロックベースに取り付ければ済むことになるので、自動販売機の据え付け時の作業性が一段と向上するものである。
【００４６】
そして、本発明によれば、ロック機構を、ロックベースに移動自在に保持されるロック部と、このロック部からドアの前面に渡るロックアームとから構成し、このロックアームのロック部に対する前後位置を調整可能としたので、自動販売機のドアの厚さ寸法の相違に合せて、ロックアームの前後位置を調整することができるようになり、多様な厚さ寸法のドアにも対応して汎用性の著しい向上を図ることができるようになるものである。
【図面の簡単な説明】
【図１】本発明を適用した自動販売機の正面図である。
【図２】図１の自動販売機の側面図である。
【図３】ドアを解錠した状態の図１の自動販売機の正面図である。
【図４】図３の自動販売機の側面図である。
【図５】本発明の防犯装置のロックアームの取り付け作業を示す図１の自動販売機の正面図である。
【図６】図５の自動販売機の側面図である。
【図７】本発明の防犯装置の平面図である。
【図８】本発明の防犯装置の正面図である。
【図９】本発明の防犯装置の側面図である。
【図１０】本発明の防犯装置の施錠・解錠操作を説明する図７のＡ−Ａ線断面図である。
【図１１】チェーンを用いた従来の防犯装置を取り付けた自動販売機の正面図である。
【図１２】図１１の自動販売機の側面図である。
【図１３】Ｌ字状のロックアームが用いられた従来の防犯装置を取り付けた自動販売機の正面図である。
【図１４】図１３の自動販売機の側面図である。
【符号の説明】
１  自動販売機
２  本体
３  側面
４  ドア
９  把手
１０  ドア用鍵装置
１１  防犯装置
１３  ロックベース
１３Ａ  係合保持孔
１４  レール
１５  ロックアーム
１５Ｃ  係合溝
１６  ロック部
１６Ｄ  鍵孔
１７  ストッパー
１８  バネ
１９  ロック機構
２１  ロックピン
２２  スプリング
【図１】
0003760617.tif 000002
【図２】
0003760617.tif 000003
【図３】
0003760617.tif 000004
【図４】
0003760617.tif 000005
【図５】
0003760617.tif 000006
【図６】
0003760617.tif 000007
【図７】
0003760617.tif 000008
【図８】
0003760617.tif 000009
【図９】
0003760617.tif 000010
【図１０】
0003760617.tif 000011
【図１１】
0003760617.tif 000012
【図１２】
0003760617.tif 000013
【図１３】
0003760617.tif 000014
【図１４】
0003760617.tif 000015